(57)【要約】【課題】端子カバーが機器に取り付けられる際の作業性を改善する。【解決手段】各カバー側ロック部２１は、カバー本体１１の幅方向中央を挟んだ両側に配置される第１、第２カバー側ロック部２１Ａ、２１Ｂを有している。このうち、幅方向一側に配置される第１カバー側ロック部２１Ａは、幅方向他側に配置される第２カバー側ロック部２１Ｂよりも機器側ロック部８３と干渉したときの抵抗が大きくなるようにしてある。カバー本体１１は、第１カバー側ロック部２１Ａの位置する幅方向一側に、スターター８０への取付け過程で押圧される膨出部３６を有している。【選択図】図１
2013125742.tif 000002
【特許請求の範囲】
【請求項１】
機器に取り付けられる端子カバーの取付け構造であって、
前記機器は、相手側端子と、複数の機器側ロック部とを有し、
前記端子カバーは、前記相手側端子に接続可能な端子金具が収容されるカバー本体と、前記カバー本体における前記各機器側ロック部と対応する位置に配置され、前記機器への取付け過程では前記各機器側ロック部と干渉し、前記機器への正規取付け時には前記各機器側ロック部に弾性的に係止される複数のカバー側ロック部とを有し、さらに、
前記各カバー側ロック部は、前記カバー本体の幅方向中央を挟んだ両側にそれぞれ配置される第１、第２カバー側ロック部を有し、このうち、幅方向一側に配置される第１カバー側ロック部が、幅方向他側に配置される第２カバー側ロック部よりも前記機器側ロック部と干渉したときの抵抗を大きくしてあり、
前記カバー本体は、幅方向一側へずれた位置に、前記機器への取付け過程で押圧される被押圧部を有していることを特徴とする端子カバーの取付け構造。
【請求項２】
前記被押圧部が、前記カバー本体の幅方向一側において前記機器への押圧方向手前側に突出する形態とされていることを特徴とする請求項１記載の端子カバーの取付け構造。
【請求項３】
前記第１カバー側ロック部の幅寸法が、前記第２カバー側ロック部の幅寸法よりも大きくしてあることを特徴とする請求項１又は２記載の端子カバーの取付け構造。
【発明の詳細な説明】
【技術分野】
【０００１】
本発明は、端子カバーの取付け構造に関する。
【背景技術】
【０００２】
特許文献１には、スターター等の機器に取り付けられる端子カバーの取付け構造が開示されている。機器は複数の機器側ロック部を有し、端子カバーは各機器側ロック部と対応する位置に複数のカバー側ロック部を有している。各カバー側ロック部は、端子カバーのカバー本体の幅方向中央を挟んだ両側にそれぞれ配置され、それぞれ同形同大とされている。端子カバーが機器に取り付けられる際には、カバー本体の上面が押圧され、これによって各カバー側ロック部が撓み変形しながら各機器側ロック部を乗り越えるようになっている。
【先行技術文献】
【特許文献】
【０００３】
【特許文献１】特開２００９−２３０９９３号公報
【発明の概要】
【発明が解決しようとする課題】
【０００４】
ところで、端子カバーが押圧される際、押圧部位がカバー本体の上面の幅方向中央からずれていると、ずれた側に位置するカバー側ロック部とその反対側に位置するカバー側ロック部とに加わる力が不均一となり、ずれ側のカバー側ロック部が歪に変形して、取付け時の作業性が悪化するという問題がある。
【０００５】
本発明は上記のような事情に基づいて完成されたものであって、端子カバーが機器に取り付けられる際の作業性を改善することを目的とする。
【課題を解決するための手段】
【０００６】
上記の目的を達成するための手段として、請求項１の発明は、機器に取り付けられる端子カバーの取付け構造であって、前記機器は、相手側端子と、複数の機器側ロック部とを有し、前記端子カバーは、前記相手側端子に接続可能な端子金具が収容されるカバー本体と、前記カバー本体における前記各機器側ロック部と対応する位置に配置され、前記機器への取付け過程では前記各機器側ロック部と干渉し、前記機器への正規取付け時には前記各機器側ロック部に弾性的に係止される複数のカバー側ロック部とを有し、さらに、前記各カバー側ロック部は、前記カバー本体の幅方向中央を挟んだ両側にそれぞれ配置される第１、第２カバー側ロック部を有し、このうち、幅方向一側に配置される第１カバー側ロック部が、幅方向他側に配置される第２カバー側ロック部よりも前記機器側ロック部と干渉したときの抵抗を大きくしてあり、前記カバー本体は、幅方向一側へずれた位置に、前記機器への取付け過程で押圧される被押圧部を有しているところに特徴を有する。
【０００７】
請求項２の発明は、請求項１に記載のものにおいて、前記被押圧部が、前記カバー本体の幅方向一側において前記機器への押圧方向手前側に突出する形態とされているところに特徴を有する。
【０００８】
請求項３の発明は、請求項１又は２に記載のものにおいて、前記第１カバー側ロック部の幅寸法が、前記第２カバー側ロック部の幅寸法よりも大きくしてあるところに特徴を有する。
【発明の効果】
【０００９】
＜請求項１の発明＞
幅方向一側に配置される第１カバー側ロック部が幅方向他側に配置される第２カバー側ロック部よりも機器側ロック部と干渉したときの抵抗を大きくしてあるため、幅方向一側でカバー本体の被押圧部が押圧されたときに、第１、第２カバー側ロック部のそれぞれに加わる力のバランスが良好となり、第１、第２カバー側ロック部がいずれも円滑に動作する。したがって、端子カバーの機器への取付け時における作業性が改善される。
【００１０】
＜請求項２の発明＞
被押圧部がカバー本体の幅方向一側において機器への押圧方向手前側に突出する形態とされているため、作業者の目に付きやすく、被押圧部への押圧操作が担保される。
【００１１】
＜請求項３の発明＞
第１カバー側ロック部の幅寸法が第２カバー側ロック部の幅寸法よりも大きくしてあるため、第１カバー側ロック部の剛性が高められ、第１カバー側ロック部が機器側ロック部と干渉したときに折損等される事態を回避することができる。
【図面の簡単な説明】
【００１２】
【図１】本発明の実施形態１に係る端子カバーの取付け構造において、端子カバーの底面図である。
【図２】各カバー側ロック部が各機器側ロック部に係止された状態をあらわす断面図である。
【図３】端子カバーの平面図である。
【図４】端子カバーと機器とが分離された状態をあらわす斜視図である。
【図５】実施形態２に係る端子カバーの取付け構造において、端子カバーの底面図である。
【発明を実施するための形態】
【００１３】
＜実施形態１＞
本発明の実施形態１を図１ないし図４によって説明する。実施形態１は、スターター８０（機器）に取り付けられる端子カバー１０の取付け構造を例示するものである。図４に示すように、スターター８０はスタッドボルト９０（相手側端子）を有し、端子カバー１０は端子金具７０を有し、端子カバー１０がスターター８０に取り付けられることにより、端子金具７０がスタッドボルト９０に電気的に接続されるようになっている。
【００１４】
図４に示すように、スターター８０は柱状の台座部８１を有し、台座部８１の上面には、ほぼ方形板状の取付部８２が設けられている。取付部８２の４辺の外縁部は、台座部８１からほぼ水平に張り出す形態とされ、端子カバー１０を仮保持状態で取り付けるための機器側ロック部８３を有している。
【００１５】
図２に示すように、機器側ロック部８３は、取付部８２の外縁部のうち、図２における向かって右側の外縁部に配置される第１機器側ロック部８３Ａと、左側の外縁部に配置される第２機器側ロック部８３Ｂとで構成されている。第１、第２機器側ロック部８３Ａ、８３Ｂは断面Ｌ字形をなしている。第１、第２機器側ロック部８３Ａ、８３Ｂの下面はそれぞれ第１、第２機器側係止面８４Ａ、８４Ｂとされ、外縁部の全辺に亘ってほぼ水平に配置されている。また、図４に示すように、取付部８２の上面の四隅には、後述する第１収容部１２内に進入してこの第１収容部１２を位置決めする位置決め突起８５が上方に起立して形成されている。
【００１６】
スタッドボルト９０は、軸線を上下方向に向けた状態で、取付部８２の上面中央部から上方へ突出している。取付部８２の上面には、スタッドボルト９０に外嵌された環状のワッシャ６０が配置されている。なお、第１、第２機器側ロック部８３Ａ、８３Ｂは、スタッドボルト９０を挟んだ幅方向両側に互いに対向して配置されている。
【００１７】
端子カバー１０は合成樹脂製であって、図４に示すように、端子金具７０を収容可能なカバー本体１１を有している。カバー本体１１は、上面が開放された第１、第２収容部１２、１３と、第１、第２収容部１２、１３の上面開口を閉止する第１、第２蓋部１４、１５と、第１、第２蓋部１４、１５及び第１、第２収容部１２、１３にそれぞれ連結される第１、第２ヒンジ１６、１７（図１を参照）とで構成されている。また、カバー本体１１は、平面視ほぼＬ字形をなし、その屈曲部位の両側に、第１、第２蓋部１４、１５がそれぞれ配置されている。第１、第２蓋部１４、１５は、それぞれ第１、第２ヒンジ１６、１７を支点として開放位置と閉止位置とに回動可能とされ、その回動方向が互いに直交する方向に向けられている。
【００１８】
第１収容部１２は、角筒状をなし、第１蓋部１４と対応する位置に配置されている。図１に示すように、第１収容部１２の下面はほぼ全域に亘って開放された取付孔１８となっている。図２に示すように、第１収容部１２の外周を構成する壁部のうち、図２における向かって左側の壁部（後述する第２壁部２３）の外面上端部には、第１蓋部１４の開閉動作の支点となる第１ヒンジ１６が連結されている。
【００１９】
第２収容部１３は、浅底箱状をなし、第２蓋部１５と対応する位置に配置されている。図１に示すように、第２収容部１３の外周を構成する壁部のうち、図１における上側の壁部に、第２蓋部１５の開閉動作の支点となる第２ヒンジ１７が連結されている。そして、第２収容部１３の長さ方向両端部には電線１００が通る電線通し孔２０が開口して形成されている。
【００２０】
端子金具７０は所定形状に打ち抜いた金属板を曲げ加工して一体に成形され、カバー本体１１の平面形状と対応するように板幅方向にほぼＬ字形に屈曲されている。具体的には端子金具７０は、図１に示すように、第１収容部１２内に収容される第１端子部７１と、第２収容部１３内に収容される第２端子部７２とを有している。第１端子部７１は、ほぼ水平な平板状をなし、その先端部に、板厚方向に貫通する円形の接続孔７３が形成されている。
【００２１】
かかる端子金具７０は、第１、第２蓋部１４、１５を開放位置とした状態で第１、第２収容部１２、１３内に落とし込まれるように挿入される。端子金具７０が組み付けられると、第２端子部７２が第２収容部１３の内底面に載置され、図示しない位置決め手段によって端子金具７０全体が第１、第２収容部１２、１３内に位置決め状態に保持される。端子金具７０が位置決めされた状態では、図１に示すように、第１端子部７１の接続孔７３が第１収容部１２の取付孔１８に連通して臨むようになっている。
【００２２】
第２端子部７２には、電線１００が導通可能に圧着されている。第２端子部７２に圧着された電線１００は、第２収容部１３の両電線通し孔２０を通して第１収容部１２の幅方向両側に引き出される。電線１００の一方の端部は、第２収容部１３の図１における向かって左側の電線通し孔２０から第２収容部１３の長さ方向に対して交差する斜め後方に導出され、その導出先端部がコネクタ２００を介してオルタネータ（図示せず）に接続される。また、電線１００の他方の端部は、第２収容部１３の図１における向かって右側の電線通し孔２０から第２収容部１３の長さ方向にほぼ沿って導出され、その導出先端部がバッテリー（図示せず）に接続される。
【００２３】
さて、カバー本体１１は、図１に示すように、各機器側ロック部８３と弾性的に係止可能な複数のカバー側ロック部２１を有している。カバー側ロック部２１は、端子カバー１０のスターター８０への取付け過程で第１、第２機器側ロック部８３Ａ、８３Ｂと向き合う位置に配置される第１、第２カバー側ロック部２１Ａ、２１Ｂで構成されている。第１、第２機器側ロック部８３Ａ、８３Ｂに対する係止力は第１、第２カバー側ロック部２１Ａ、２１Ｂで互いに異なり、第１カバー側ロック部２１Ａのほうが第２カバー側ロック部２１Ｂよりも大きくされている。
【００２４】
そして、第１、第２カバー側ロック部２１Ａ、２１Ｂは、第１収容部１２を構成する４つの壁部のうち、幅方向（スターター８０に対する端子カバー１０の取付け方向と直交する方向でかつ第２収容部１３の長さ方向と平行な方向）の両端に位置する第１、第２壁部２２、２３に形成されている。図２に示すように、端子カバー１０がスターター８０に取り付けられた状態では、第１収容部１２の幅方向中央部にスタッドボルト９０が配置され、このスタッドボルト９０を挟んだ幅方向両側に、第１、第２カバー側ロック部２１Ａ、２１Ｂが互いに対向して配置されるようになっている。
【００２５】
第１壁部２２は、端子カバー１０におけるＬ字の内側の壁面を構成している。第１壁部２２の外面の上端部には、図２に示すように、後述する第１蓋部１４の弾性係止片３８を受ける係止片受け部２４が膨出して形成されている。係止片受け部２４は、筒状であって第１壁部２２の上端よりも上方に突出する形態とされ、その周壁の内面上端部に、弾性係止片３８と係止可能な係止縁部２５が突出して形成されている。
【００２６】
第１カバー側ロック部２１Ａは、第１壁部２２における係止片受け部２４の直下方に配置されている。図４に示すように、第１壁部２２には上下方向に延びて下端に開口する一対のスリット２６が形成され、両スリット２６間に第１カバー側ロック部２１Ａが配置されている。具体的には、図２に示すように、第１カバー側ロック部２１Ａは、両スリット２６間にて第１壁部２２の壁面に沿った板状の第１弾性ロック片２７と、第１弾性ロック片２７の下端部から第１収容部１２内に突出する爪状の第１ロック突起２８とで構成されている。第１弾性ロック片２７は、下方（端子カバー１０のスターター８０への取付け方向）へ片持ち状に延びる形態であって、その上端部（基端部）を支点として外側（第１収容部１２内を向く側（内側）と反対側）へ撓み変形可能とされている。
【００２７】
第１ロック突起２８は、第１弾性ロック片２７の板幅とほぼ同じ幅寸法（スターター８０に対する端子カバー１０の取付け方向及び第１、第２カバー側ロック部２１Ａ、２１Ｂが互いに向き合う方向と直交する方向に沿った寸法）を有している。言い換えれば、第１カバー側ロック部２１Ａは、全長に亘ってほぼ同幅で構成されている。図２に示すように、第１ロック突起２８の下面には内側へ向けて上り勾配となる第１案内面２９が形成されている。また、第１ロック突起２８の上面は、第１カバー側係止面３０とされ、ほぼ水平に配置されている。
【００２８】
第２壁部２３は、端子カバー１０におけるＬ字の外側の壁面を構成している。第２壁部２３の外面に連結された第１ヒンジ１６は、トグル式のヒンジ機構を有し、第１蓋部１４の開閉途中を境として開放位置側では第１蓋部１４を開放位置側へ付勢し、閉止位置側では第１蓋部１４を閉止位置側へ付勢するように機能する。
【００２９】
第２カバー側ロック部２１Ｂは、第２壁部２３に連結された第１ヒンジ部１６の下方に配置されている。第２壁部２３には上下方向に延びて下端に開口する一対のスリット３１が形成され、図１に示すように、両スリット３１間に第２カバー側ロック部２１Ｂが配置されている。具体的には、図２に示すように、第２カバー側ロック部２１Ｂは、両スリット３１間にて第２壁部２３の壁面に沿った板状の第２弾性ロック片３２と、第２弾性ロック片３２の下端部から第１収容部１２内に突出する爪状の第２ロック突起３３とで構成されている。第２弾性ロック片３２は、下方（端子カバー１０のスターター８０への取付け方向）へ片持ち状に延びる形態であって、その上端部（基端部）を支点として外側（第１収容部１２内を向く側（内側）と反対側）へ撓み変形可能とされている。
【００３０】
第２ロック突起３３は、第２弾性ロック片３２の板幅とほぼ同じ幅寸法（スターター８０に対する端子カバー１０の取付け方向及び第１、第２カバー側ロック部２１Ａ、２１Ｂが互いに向き合う方向と直交する方向に沿った寸法）を有している。言い換えれば、第２カバー側ロック部２１Ｂは、全長に亘ってほぼ同幅で構成されている。第２ロック突起３３の下面には内側へ向けて上り勾配となる第２案内面３４が形成されている。また、第２ロック突起３３の上面は、第２カバー側係止面３５とされ、ほぼ水平に配置されている。
【００３１】
上記の場合に、図２に示すように、第１、第２弾性ロック片２７、３２の上下寸法は互いにほぼ同じとされ、第１、第２ロック突起２８、３３は互いにほぼ同じ高さ位置に配置されている。また、第１、第２ロック突起２８、３３の内側への突出寸法も互いにほぼ同じとされ、第１、第２案内面２９、３４の傾斜角も互いにほぼ同じとされている。これに対し、図１に示すように、第１弾性ロック片２７の板幅及び第１ロック突起２８の幅寸法は、第２弾性ロック片３２の板幅及び第２ロック突起３３の幅寸法よりも大きくされている。このため、第１機器側ロック部８３Ａと干渉する際の接触抵抗は第１ロック突起２８のほうが第２ロック突起３３よりも大きく、第１カバー側ロック部２１Ａは第２カバー側ロック部２１Ｂよりも撓み変形され難い形態になっている。
【００３２】
第１蓋部１４は、図２に示すように、第１壁部２２の位置する幅方向一側に高背の膨出部３６を有し、第２壁部２３の位置する幅方向他側に低背の天板部３７を有している。第２壁部２３から延びる第１ヒンジ１６は、図３に示すように、天板部３７に形成された一対の切り込み４１間に配置され、天板部３７の一部を構成している。図２に示すように、膨出部３６の外側面は天板部３７の板面に対して直交して配置され、このうち、幅方向一側の側面に、弾性係止片３８が突出して形成されている。弾性係止片３８は、幅方向一側の側面の上端部から下方へ延びるアーム状をなし、その延出先端部に、係止爪３９が外側に突出して形成されている。第１蓋部１４が開放位置から閉止位置に向かう過程では、係止爪３９が係止縁部２５と干渉することによって弾性係止片３８が内側へ撓み変形させられる。第１蓋部１４が閉止位置に至ると、弾性係止片３８が弾性的に復帰して、係止爪３９が係止縁部２５に下方から係止可能に配置され、これによって第１蓋部１４が第１収容部１２に保持されるようになっている。また、膨出部３６の幅方向一側の側面には、図３及び図４に示すように、弾性係止片３８を挟んだ両側に、弾性係止片３８を保護する一対の保護壁４０が立ち上げ形成されている。
【００３３】
そして、膨出部３６の上面は、スターター８０に端子カバー１０を取り付ける際に押圧される被押圧面１９とされている。膨出部３６の被押圧面１９は、天板部３７の板面とほぼ平行に配置され、閉止位置ではほぼ水平に配置される平坦面とされている。膨出部３６が第１収容部１２の幅方向一側において上方へ突出する形態とされるため、被押圧面１９は作業者の操作方向手前側に配置されることになる。
【００３４】
次に、本実施形態の作用を説明する。
第１、第２蓋部１４、１５を開放して第１、第２収容部１２、１３内に端子金具７０を収容し、次いで、第１、第２蓋部１４、１５を閉止位置に至らせ、第１、第２収容部１２、１３に第１、第２蓋部１４、１５を被せ付ける。その状態で、スターター８０の取付部８２に端子カバー１０を取り付ける。このとき、膨出部３６の被押圧面１９が押圧され（図２の矢線Ｐ方向を参照）、第１、第２案内面２９、３４がそれぞれ第１、第２機器側ロック部８３Ａ、８３Ｂの角部と摺接して、第１、第２弾性ロック片２７、３２が外側に撓み変形させられる。取付けの完了時には、第１、第２弾性ロック片２７、３２が弾性的に復帰して、第１、第２ロック突起２８、３３が第１、第２機器側ロック部８３Ａ、８３Ｂの下方に至り、第１、第２カバー側係止面３０、３５がそれぞれ第１、第２機器側係止面８４Ａ、８４Ｂに下方から係止可能に配置される。
【００３５】
ところで、本実施形態の場合、被押圧面１９が第１収容部１２の幅方向中央から一側にずれて配置されているため、被押圧面１９が押圧されて第１、第２カバー側ロック部２１Ａ、２１Ｂが第１、第２機器側ロック部８３Ａ、８３Ｂと干渉したときには、幅方向一側に位置する第１カバー側ロック部２１Ａのほうが幅方向他側に位置する第２カバー側ロック部２１Ｂよりも大きい力が加わるようになっている。このように第１、第２カバー側ロック部２１Ａ、２１Ｂに加わる力が互いに異なると、第１、第２カバー側ロック部２１Ａ、２１Ｂの撓み動作が歪になり、組み付け作業性が悪化する懸念がある。
【００３６】
しかるに本実施形態によれば、第１カバー側ロック部２１Ａのほうが第２カバー側ロック部２１Ｂよりも幅広に形成されているため、第１カバー側ロック部２１Ａが第１機器側ロック部８３Ａと干渉したときの抵抗は、第２カバー側ロック部２１Ｂが第２機器側ロック部８３Ｂと干渉したときの抵抗よりも大きくされる。したがって、第１、第２カバー側ロック部２１Ａ、２１Ｂの撓み動作のタイミングがほぼ同じに揃えられ、第１、第２カバー側ロック部２１Ａ、２１Ｂのそれぞれに加わる力の不均衡が是正される。
【００３７】
なお、第１、第２カバー側ロック部２１Ａ、２１Ｂが弾性変形を開始してから弾性復帰するまでの間、スタッドボルト９０が端子金具７０の接続孔７３に嵌合され、第１端子部７１及び第１収容部１２がスタッドボルト９０に対して軸交差方向に相対変位するのが抑えられる。その後、第１蓋部１４を開放して、スタッドボルト９０にナット（図示せず）をねじ込んで締め付けることにより、スタッドボルト９０と端子金具７０とが導通可能に固着される。
【００３８】
以上説明したように、本実施形態によれば、幅方向一側の第１カバー側ロック部２１Ａが幅方向他側の第２カバー側ロック部２１Ｂよりも第１、第２機器側ロック部８３Ａ、８３Ｂと干渉したときの抵抗を大きくしてあるため、膨出部３６の被押圧面１９が押圧されたときに、第１、第２カバー側ロック部２１Ａ、２１Ｂが互いにほぼ同じタイミングで円滑に撓み変形させられる。したがって、スターター８０に端子カバー１０を取り付ける際の作業性が改善される。
【００３９】
また、膨出部３６がカバー本体１１の第１収容部１２の幅方向一側においてスターター８０への押圧方向手前側に突出する形態とされているため、作業者の目に付きやすく、膨出部３６の上面を構成する被押圧面１９への押圧操作が担保される。さらに、第１カバー側ロック部２１Ａの幅寸法が第２カバー側ロック部２１Ｂの幅寸法よりも大きくしてあるため、第１カバー側ロック部２１Ａの剛性が高められ、第１カバー側ロック部２１Ａが第１機器側ロック部８３Ａと干渉したときに折損等される事態を回避することができる。
【００４０】
＜実施形態２＞
図５は、本発明の実施形態２を示す。実施形態２は、第１カバー側ロック部２１Ｅの形態が実施形態１とは異なるが、その他の形態は実施形態１とほぼ同様である。したがって、実施形態２において、実施形態１と同様の構成には同一符号を付し、重複する説明は省略する。
【００４１】
第１カバー側ロック部２１Ｅは、スリット４３を挟んで幅方向に並列に配置された一対のサブロック部４４によって構成されている。各サブロック部４４の単独での幅寸法は、第２カバー側ロック部２１Ｂよりも小さいが、各サブロック部４４の合算した幅寸法は、第２カバー側ロック部２１Ｂよりも大きくなっている。したがって、全体としてみれば、第１カバー側ロック部２１Ｅの幅寸法は第２カバー側ロック部２１Ｂの幅寸法よりも大きくなっている。このため、幅方向一側に配置された膨出部３６の被押圧面１９が押圧された場合には、実施形態１と同様、第１、第２カバー側ロック部２１Ｅ、２１Ｂ間の力のバランスが良好となり、スターター８０に端子カバー１０を取り付ける際の作業性が改善される。
【００４２】
＜他の実施形態＞
本発明は上記記述及び図面によって説明した実施形態に限定されるものではなく、例えば次のような実施形態も本発明の技術的範囲に含まれる。
（１）本発明は、スターター以外の自動車部品にも適用可能である。
（２）幅方向一側に位置する第１カバー側ロック部の個数、及び幅方向他側に位置する第２カバー側ロック部の個数は、任意であって上記実施形態に限定されない。
（３）第１案内面の傾斜角度が第２案内面の傾斜角度よりもきつくなることにより、第１カバー側ロック部の抵抗が第２カバー側ロック部の抵抗よりも大きくなるものであってもよい。
（４）各カバー側ロック部は、第１収容部の外周を構成する４つの壁部のうち、第１、第２カバー側ロック部が配置される壁部とは別の壁部にも設けられるものであってもよい。
【符号の説明】
【００４３】
１０…端子カバー
１１…カバー本体
１２…第１収容部
１９…被押圧面
２１…カバー側ロック部
２１Ａ、２１Ｅ…第１カバー側ロック部
２１Ｂ…第２カバー側ロック部
３６…膨出部（被押圧部）
７０…端子金具
８０…スターター（機器）
８３…機器側ロック部
８３Ａ…第１機器側ロック部
８３Ｂ…第２機器側ロック部
９０…スタッドボルト（相手側端子）
【図１】
2013125742.tif 000003
【図２】
2013125742.tif 000004
【図３】
2013125742.tif 000005
【図４】
2013125742.tif 000006
【図５】
2013125742.tif 000007